(57)【要約】【課題】地震振動を検出し記録する地震計において、既に記録された地震振動に基づく検出データを消失することなく、重要な本震の地震振動の検出データを記録することを可能にする。【解決手段】地震計１００において、検出部１０により検出された地震振動に基づく検出データを記録する記録媒体９に、第１の記録領域９ａと第２の記録領域９ｂとを設け、最初に第１の記録領域９ａに順次検出データを記録していき、第１の記録領域９ａに記録可能なエリアがなくなった際に、所定の地震振動レベル以上の検出データのみを第２の記録領域９ｂに記録する構成にした。【選択図】　　図１
2004085257.tif 000002
【特許請求の範囲】
【請求項１】
地震振動を検出する検出部と、
前記検出部により検出された地震振動に基づく検出データが記録される記録媒体を備える記録部と、を有する地震計であって、
前記記録媒体に、第１の記録領域と第２の記録領域とが設けられ、
前記第１の記録領域に、前記検出データを記録するエリアがあるか否かの判断を行う判断手段と、
前記第１の記録領域に前記検出データを最初に記録させ、前記第１の記録領域に前記検出データの記録が可能なエリアがないと前記判断手段が判断した場合に、前記検出データのうち、所定の地震振動以上の検出データを、前記第２の記録領域に記録する記録制御手段と、
を備えたことを特徴とする地震計。
【請求項２】
請求項１に記載の地震計において、
前記判断手段により前記第１の記録領域に前記検出データの記録が可能なエリアがないと判断された場合に、所定の出力形式による警告を行う警告手段を備えたことを特徴とする地震計。
【請求項３】
請求項１又は２に記載の地震計において、
前記第２の記録領域に記録する地震振動の閾値の設定を行う設定手段を備えたことを特徴とする地震計。
【発明の詳細な説明】
【０００１】
【発明の属する技術分野】
本発明は、地震に係る振動の検出データを記録する地震計に関する。
【０００２】
【従来の技術】
従来、地震計において、検出部が検出した地震振動の検出データは、メモリーカード等の記録媒体に、順次記録されていた。そして、メモリーカードの容量一杯に記録されると、その検出データの回収やメモリーカードの交換を行っていた。
【０００３】
【発明が解決しようとする課題】
しかしながら、例えば、群発地震が生じた際、検出部は多数の余震を検出し、その検出された多量の余震の検出データが、メモリーカードの容量一杯に記録され、その検出データの回収やメモリーカードの交換が間に合わない場合は、次の地震振動の検出データの記録ができず、本震の検出データを取り損ねる可能性があった。
また、累積検出データ量がメモリーカードの記録容量を越えてしまった場合に、次に検出された検出データの振動の大きさと、既に記録された検出データの振動の大きさとの比較を行い、本震のような大きな振動の検出データを、より小さな振動の検出データに上書きすることにより、本震の検出データを取り損ねない対策がとられた地震計もある。しかし、この場合は、本震の検出データは取り損ねないが、メモリーカードの交換、回収などにより、検出データの回収が行われるまで、検出データの上書きが行われる度に、記録された余震データ等が消失してしまうことになる。
【０００４】
本発明の課題は、本震の地震振動の検出データを記録し損なうことなく、また、記録された検出データを消失することなく有効活用できる地震計を提供することである。
【０００５】
【課題を解決するための手段】
以上の課題を解決するため、請求項１記載の発明は、地震振動を検出する検出部（例えば、検出部１０）と、
前記検出部により検出された地震振動に基づく検出データが記録される記録媒体（例えば、記録媒体９）を備える記録部（例えば、記録部８）と、を有する地震計（例えば、地震計１００）であって、
前記記録媒体に、第１の記録領域（例えば、第１の記録領域９ａ）と第２の記録領域（例えば、第２の記録領域９ｂ）とが設けられ、
前記第１の記録領域に、前記検出データを記録するエリアがあるか否かの判断を行う判断手段（例えば、ＣＰＵ３）と、
前記第１の記録領域に前記検出データを最初に記録させ、前記第１の記録領域に前記検出データの記録が可能なエリアがないと前記判断手段が判断した場合に、前記検出データのうち、所定の地震振動以上の検出データを、前記第２の記録領域に記録する記録制御手段（例えば、ＣＰＵ３）と、
を備えたことを特徴とする。
【０００６】
請求項１記載の発明によれば、検出部により検出された地震振動に基づく検出データを最初に第１の記録領域に記録するとともに、第１の記録領域に検出データを記録するエリアがなくなった場合には、所定の地震振動以上の検出データのみを第２の記録領域に記録することができる。
よって、既に第１の記録領域に記録された検出データを失うことなく、また、所定の地震振動以上の検出データである重要な検出データを記録し損なう可能性が低減するので、検出された地震振動に基づく検出データを効率的に記録することができ、記録した検出データを有効活用することができる。
【０００７】
請求項２記載の発明は、請求項１に記載の地震計において、
前記判断手段により前記第１の記録領域に前記検出データの記録が可能なエリアがないと判断された場合に、所定の出力形式による警告を行う警告手段（例えば、ＣＰＵ３、表示部７等）を備えたことを特徴とする。
【０００８】
請求項２記載の発明によれば、請求項１に記載の発明と同様の効果が得られることは無論のこと、特に、判断手段により第１の記録領域に検出データの記録が可能なエリアがないと判断された場合には、警告手段により、記録可能エリア不足であることが警告されるので、速やかに記録媒体の交換等を行うことなどにより、地震振動に基づく検出データを記録し損なわない対処を取ることができる。
よって、本震の地震振動の検出データなど重要な検出データを記録し損なう可能性が低減するので、検出した検出データを有効活用し、好適な地震の解析を行うことができる。
【０００９】
請求項３記載の発明は、請求項１又は２に記載の地震計において、
前記第２の記録領域に記録する地震振動の閾値の設定を行う設定手段（例えば、入力部６、ＣＰＵ３等）を備えたことを特徴とする。
【００１０】
請求項３記載の発明によれば、請求項１又は２に記載の発明と同様の効果が得られることは無論のこと、特に、第２の記録領域に記録する地震振動の閾値の設定を行うことができるので、所望の地震振動以上の検出データを第２の記録領域に記録することができ、好適な地震の解析を行うことができる。
【００１１】
【発明の実施の形態】
以下、図を参照して本発明の実施の形態を詳細に説明する。
図１は、本発明の地震計の構成を示すブロック図である。
地震計１００は、地震振動を検出する検出部１０と、検出部１０が検出した地震振動に関する検出データの記録や出力を行う地震計本体２０と、検出部１０と地震計本体２０とを接続するケーブル３０等を備えている。
【００１２】
検出部１０は、例えば、東西（左右）方向、南北（前後）方向、上下方向の加速度、速度、変位等に基づき振動を検出する振動計等により構成されている。検出部１０により検出された振動にかかる電気信号は、ケーブル３０を介し、地震計本体２０に送信される。
【００１３】
地震計本体２０は、アンプモジュール１と、Ａ／Ｄ変換部２と、ＣＰＵ３と、ＲＯＭ４と、ＲＡＭ５と、入力部６と、表示部７と、記録部８と、記録媒体９等により構成されている。
【００１４】
アンプモジュール１は、検出部１０からケーブル３０を介し送信される振動にかかるアナログ信号の電気信号を増幅し、Ａ／Ｄ変換部２へ出力するアンプである。
Ａ／Ｄ変換部２は、アンプモジュール１によって増幅された電気信号（アナログ信号）を、振動値として表したデジタル信号である検出データに変換し、ＣＰＵ３に出力するＡ／Ｄコンバータである。
【００１５】
ＣＰＵ（Ｃｅｎｔｒａｌ　Ｐｒｏｃｅｓｓｉｎｇ　Ｕｎｉｔ）３は、ＲＯＭ（Ｒｅａｄ　Ｏｎｌｙ　Ｍｅｍｏｒｙ）４に格納されている、制御、判断等各種処理用の各種プログラム等を実行して、その処理結果を一時的にＲＡＭ（Ｒａｎｄｏｍ　Ａｃｃｅｓｓ　Ｍｅｍｏｒｙ）５内のワークメモリエリアに格納するとともに、表示部７に表示する。
また、ＣＰＵ３は、判断手段として、後述する記録媒体９における第１の記録領域９ａの記録可能エリアの有無の判断を行う制御を行う。また、後述する閾値と検出データの比較を行い、検出データが閾値を超えたか否かを判断する制御を行う。
また、ＣＰＵ３は、記録制御手段として、Ａ／Ｄ変換部２から入力された検出データ（デジタル信号）を、後述する記録部８により記録媒体９へ記録する制御を行う。
また、ＣＰＵ３は、警告手段として、判断手段が後述する記録媒体９における第１の記録領域９ａに記録可能なエリアがないと判断した際、記録可能エリア不足であることを表示部７に警告表示する制御を行う。
また、ＣＰＵ３は、設定手段として、入力部６から入力された設定条件に関する信号をＲＡＭ５に記憶する制御を行う。
【００１６】
入力部６は、日付や時刻等を入力するための入力キーや、各種機能を設定するための設定キー及び通信器等により構成され、キーが押下されたこと、又はパソコン等の通信コマンド等による設定信号をＣＰＵ３に出力する。
表示部７は、ＬＣＤ（Ｌｉｑｕｉｄ　Ｃｒｙｓｔａｌ　Ｄｉｓｐｌａｙ）等により構成され、ＣＰＵ３から入力される地震計１００の動作状態や、記録可能エリア不足であることの警告表示や、現在時刻等を表示する。
【００１７】
記録部８は、検出データを記録するための記録媒体９を有しており、この記録媒体９は磁気的、光学的記録媒体、若しくは半導体メモリで構成されている。また、この記録媒体９は記録部８に固定的に設けたもの、若しくは着脱自在に装着するものであり、例えば、ハードディスクドライブやメモリーカード等により構成される。また、検出データが記録された記録媒体９を回収することによって、検出データを取得し、地震の解析が行われる。
また、記録媒体９における記録領域は、入力部６からの記録領域に関する設定信号に基づいて、ＣＰＵ３により、検出部１０により検出された地震振動にかかる電気信号に基づく検出データを最初に順次記録する第１の記録領域９ａと、第１の記録領域９ａに検出データを記録するエリアがなくなった場合に臨時に使用する緊急記録用の第２の記録領域９ｂとに区分される。
【００１８】
次に、本発明の地震計１００の動作を、図２に示されるフローチャートに沿って説明する。
まず、初期設定として、記録媒体９において、通常の検出データの記録を行う第１の記録領域９ａと、第１の記録領域９ａに検出データを記録するエリアがなくなった場合に使用する第２の記録領域９ｂとの割合の設定が入力部６の設定キーを介し入力される。さらに、第１の記録領域９ａに検出データを記録するエリアがなくなった場合に、緊急記録用の第２の記録領域９ｂに記録すべき検出データであるか否かの基準とする閾値としての、検出データの振動レベルの設定が入力部６の設定キーを介し入力される。そして、入力部６において入力された設定信号はＣＰＵ３に出力され、ＣＰＵ３に入力されたその設定信号に基づく設定条件をＣＰＵ３はＲＡＭ５に記憶する（ステップＳ１）。
【００１９】
そして、Ａ／Ｄ変換部２からＣＰＵ３へ、地震振動に関する検出データが入力されると（ステップＳ２；Ｙｅｓ）、ＣＰＵ３は、記録媒体９の第１の記録領域９ａにおける、検出データの記録可能なエリアの有無を判断する（ステップＳ３）。ＣＰＵ３が、第１の記録領域９ａに検出データの記録可能なエリアがあると判断すると（ステップＳ３；Ｙｅｓ）、ＣＰＵ３は、検出データを記録部８により第１の記録領域９ａに記録させ（ステップＳ４）、ステップＳ２に戻る。なお、ＣＰＵ３に検出データが入力されない際は（ステップＳ２；Ｎｏ）、検出データの入力があるまで、待機する。
一方、ＣＰＵ３が、第１の記録領域９ａに検出データの記録可能なエリアがないと判断すると（ステップＳ３；Ｎｏ）、ＣＰＵ３は、表示部７に記録可能エリア不足であることを示す警告表示を行う（ステップＳ５）。
【００２０】
次いで、ＣＰＵ３は、その検出データの振動レベルと、設定された閾値の振動レベルとの比較を行う（ステップＳ６）。
そして、ＣＰＵ３が、その検出データの振動レベルが、設定された閾値の振動レベルより大きいと判断すると（ステップＳ６；Ｙｅｓ）、ＣＰＵ３は、検出データを記録部８により第２の記録領域９ｂに記録させ、ステップＳ２に戻る。
一方、ＣＰＵ３が、その検出データの振動レベルが、設定された閾値の振動レベルより小さいと判断すると（ステップＳ６；Ｎｏ）、ＣＰＵ３は、その検出データの記録を記録部８に行わせず、検出データを消去し（ステップＳ８）、ステップＳ２へ戻る。
【００２１】
そして、このような動作の間に、表示部７に表示された記録可能エリア不足であることの警告表示に促されることなどにより、記録媒体９の回収、交換等が行われる。そして、新たに備えられた記録媒体９に、同様に検出データの記録が行われるとともに、回収された記録媒体９に記録された検出データに基づき、地震の解析を行う。
【００２２】
このように、本発明の地震計１００は、検出部１０により検出された地震振動に基づく検出データを順次第１の記録領域９ａに記録するとともに、第１の記録領域９ａに検出データを記録するエリアがなくなった場合には、設定された閾値以上の振動レベルを有する検出データのみを第２の記録領域９ｂに記録することができる。
よって、記録媒体９の回収、交換等が行われるまでの間、既に記録した検出データを失うことがなく、また、設定された閾値以上の振動レベルを有する重要な検出データを記録し損なうことがないので、検出された地震振動に基づく検出データを効率的に記録することができ、記録した検出データを有効活用することができる。
また、通常の検出データの記録を行う記録媒体９における第１の記録領域９ａに、検出データを記録するエリアがなくなった場合、記録可能エリア不足であることを示す警告表示により、記録媒体９の回収、交換等を促すことができるので、記録媒体９の回収、交換等が速やかに行われることとなり、検出された検出データを記録し損なうことがより少なくなり、記録、取得した検出データにより好適な地震の解析を行うことができる。
【００２３】
なお、以上の実施の形態においては、第１の記録領域９ａに検出データを記録するエリアがなくなった場合に、緊急記録用の第２の記録領域９ｂに記録すべき検出データであるか否かの基準とする閾値を設け、その閾値としての振動レベル以上の検出データを第２の記録領域９ｂに記録する構成にした。このような閾値は、第２の記録領域９ｂへの記録に関して設けることに限らず、第１の記録領域９ａに対し、通常の検出データの記録を行う際にも、記録すべき検出データか否かの基準とする閾値を設け、地震振動以外の誤差振動の記録を排除する構成にしてもよい。
【００２４】
また、本実施の形態においては、ＣＰＵ３が、第１の記録領域９ａに検出データの記録可能なエリアがないと判断した際、表示部７に記録可能エリア不足であることを示す警告表示を行うとしたが、記録可能エリア不足であることの警告手段はこれに限らず、記録可能エリア不足であることを示す信号や警告音等を発する構成であってもよい。
【００２５】
また、本実施の形態においては、記録媒体９において、検出部１０により検出された地震振動に基づく検出データを順次記録する第１の記録領域９ａと、第１の記録領域９ａに検出データを記録するエリアがなくなった場合に臨時に使用する緊急記録用の第２の記録領域９ｂとに区分したが、複数の記録媒体９を備える場合には、地震振動に基づく検出データを順次記録する第１の記録媒体と、第１の記録媒体に検出データを記録する記録領域がなくなった場合に臨時に使用する緊急記録用の第２の記録媒体とを備える構成にしてもよい。
また、その他、具体的な細部構造等についても適宜に変更可能であることは勿論である。
【００２６】
【発明の効果】
請求項１記載の発明によれば、検出部により検出された地震振動に基づく検出データを最初に第１の記録領域に記録するとともに、第１の記録領域に検出データを記録するエリアがなくなった場合には、所定の地震振動以上の検出データのみを第２の記録領域に記録することができる。
よって、既に第１の記録領域に記録された検出データを失うことなく、また、所定の地震振動以上の検出データである重要な検出データを記録し損なう可能性が低減するので、検出された地震振動に基づく検出データを効率的に記録することができ、記録した検出データを有効活用することができる。
【００２７】
請求項２記載の発明によれば、請求項１に記載の発明と同様の効果が得られることは無論のこと、特に、判断手段により第１の記録領域に検出データの記録が可能なエリアがないと判断された場合には、警告手段により、記録可能エリア不足であることが警告されるので、速やかに記録媒体の交換等を行うことなどにより、地震振動に基づく検出データを記録し損なわない対処を取ることができる。
よって、本震の地震振動の検出データなど重要な検出データを記録し損なう可能性が低減するので、検出した検出データを有効活用し、好適な地震の解析を行うことができる。
【００２８】
請求項３記載の発明によれば、請求項１又は２に記載の発明と同様の効果が得られることは無論のこと、特に、第２の記録領域に記録する地震振動の閾値の設定を行うことができるので、所望の地震振動以上の検出データを第２の記録領域に記録することができ、好適な地震の解析を行うことができる。
【図面の簡単な説明】
【図１】本発明にかかる地震計の構成を示すブロック図である。
【図２】本発明に係る地震計の動作を示すフローチャートである。
【符号の説明】
１　　　アンプモジュール
２　　　Ａ／Ｄ変換部
３　　　ＣＰＵ（判断手段、記録制御手段、警告手段、設定手段）
４　　　ＲＯＭ
５　　　ＲＡＭ
６　　　入力部（設定手段）
７　　　表示部（警告手段）
８　　　記録部
９　　　記録媒体
９ａ　　第１の記録領域
９ｂ　　第２の記録領域
１０　　検出部
２０　　地震計本体
３０　　ケーブル
１００　地震計
【図１】
2004085257.tif 000003
【図２】
2004085257.tif 000004